(57)【要約】      （修正有）【課題】電子機器を移動体が纏う布に簡単かつ確実に装着することのできる電子機器装着具を提供する。【解決手段】電子機器装着具は、電子機器を収容する円筒状のケース１１と、ケース１１を挿通した状態でケース１１の周面で係合されるリング１３とを備える。ケース１１はその周面に沿って少なくとも１列に形成される複数の突状部１２１、１２２を備え、リング１３は内部の内径がケース１１の複数の突状部１２１、１２２の外径より径大で、外側の内径がケース１１の周面の外径より径大でかつ、複数の突状部１２１、１２２の外径より径小であり、少なくとも一方の外側の内径が複数の突状部１２１、１２２と対向する範囲で複数の突状部１２１、１２２の外径より径大な切り欠き部１３１、１３２を備える。【選択図】図２
0003200048.tif 000002
【実用新案登録請求の範囲】
【請求項１】
電子機器を収容する円柱状の筐体と、
前記筐体を挿通した状態で前記筐体の周面で係合されるリングとを具備し、
前記筐体はその周面に沿って少なくとも１列に形成される複数の突状部を備え、
前記リングは内部の内径が前記筐体の複数の突状部の外径より径大で、外側の内径が前記筐体の周面の外径より径大でかつ、前記複数の突状部の外径より径小であり、少なくとも一方の外側の内径が前記複数の突状部と対向する範囲で前記複数の突状部の外径より径大な切り欠き部を備える電子機器装着具。
【請求項２】
前記リングは、前記筐体を挿通した状態で回転角度を規制するストッパを備える請求項１記載の電子機器装着具。
【考案の詳細な説明】
【技術分野】
【０００１】
本考案は、小型の電子機器を移動体に装着するための電子機器装着具に関する。
【背景技術】
【０００２】
近時、移動体（者）の位置を管理するシステムにおいて、移動体にビーコンを発信する小型送信機を装着することが要求されている。その装着具には、衣類等の布に簡単に装着することができ、かつ簡単には外れないようにすることが要求されている。
【先行技術文献】
【特許文献】
【０００３】
【特許文献１】特開２００９−１１２６７７号公報
【考案の概要】
【考案が解決しようとする課題】
【０００４】
以上のように、小型送信機等の電子機器を移動体に装着する電子機器装着具にあっては、移動体を覆う布に電子機器を簡単に装着することができ、かつ簡単には外れないようにすることが要求されている。
【０００５】
この考案の目的は、電子機器を移動体が纏う布に簡単かつ確実に装着することのできる電子機器装着具を提供することにある。
【課題を解決するための手段】
【０００６】
実施形態の電子機器装着具は、電子機器を収容する円柱状の筐体と、前記筐体を挿通した状態で前記筐体の周面で係合されるリングとを具備し、前記筐体はその周面に沿って少なくとも１列に形成される複数の突状部を備え、前記リングは内部の内径が前記筐体の複数の突状部の外径より径大で、外側の内径が前記筐体の周面の外径より径大でかつ、前記複数の突状部の外径より径小であり、少なくとも一方の外側の内径が前記複数の突状部と対向する範囲で前記複数の突状部の外径より径大な切り欠き部を備える。
【０００７】
上記構成による電子機器装着具では、装着時に、布を挟んで、前記リングの内部に前記切り欠き部を通じて前記筐体の突状部を入れた後、前記リングと前記筐体とを相対的に回転させることで、布を挟んだ状態で筐体とリングを係合させる。
【図面の簡単な説明】
【０００８】
【図１】実施形態に係る電子機器装着具の正面及び裏面の外観を示す斜視図。
【図２】図１に示す電子機器装着具の分解斜視図。
【図３】図１に示す電子機器装着具の装着工程を示す分解斜視図。
【図４】図１に示す電子機器装着具を布に装着した状態を示す断面図。
【考案を実施するための形態】
【０００９】
以下、図面を参照して、本考案の実施の一形態について説明する。
【００１０】
図１は、実施形態に係る電子機器装着具の正面及び裏面の外観を示すもので、（ａ）は正面側の外観図、（ｂ）は裏面側の外観図である。また、図２は図１に示す電子機器装着具の分解斜視図である。本実施形態の電子機器装着具は、図２に示すように、電子機器が収容された円筒状のケース１１、このケース１１を内部に嵌合するジャケット１２、ジャケット１２に布を挟んで嵌め込むリング１３で構成される。尚、図２において、１４はケース１１の表面に吸着させてケース１１をジャケット１２に対して着脱操作するための吸盤である。
【００１１】
上記ケース１１の外径とジャケット１２の内径はほぼ一致しており、ジャケット１２に対してケース１１を位置合わせしてジャケット１２の内部に押し込むことで一体化することができる。上記ジャケット１２には、その周面上に周面に沿って１列に一対の突状部１２１，１２２が形成される。各突状部１２１，１２２は、ここでは１／４周程度の長さとし、対称な位置に形成する。
【００１２】
これに対して、リング１３は、内部の内径がジャケット１２の突状部１２１，１２２の外径より径大で、外側の内径がジャケット１２の周面の外径より径大でかつ、突状部１２１，１２２の外径より径小である。さらに、少なくとも一方の外側の内径が突状部１２１，１２２と対向する範囲で突状部１２１，１２２の外径より径大な切り欠き部１３１，１３２を備える。また、リング１３の内部には、上記ジャケット１２の突状部１２１，１２２が入った状態で、１／４周以上回転しないようにストッパ１３３が形成されている。
【００１３】
図３に上記構成による電子機器装着具の装着工程を示す。まず、図３（ａ）に示すように、例えば対象者の衣類に設けられたポケット（布）１５の内側に、装着位置に合わせてリング１３を保持させておき、吸盤１４を吸着させてケース１１を嵌め込んだジャケット１２をポケット１５の外側からリング１３に対向させ、ジャケット１２の突状部１２１，１２２とリング１３の切り欠き部１３１，１３２との位置を合わせる。この状態で、図３（ｂ）に示すようにジャケット１２をポケット１５の布を挟んでリング１３の内部に押し込み、突状部１２１，１２２がリング１３の内部に入った状態で、図３（ｃ）に示すように１／４回転させる。このとき、突状部１２１または１２２の端部がリング１３の内部のストッパ１３３に当接するため、その以上回転しない。これにより、突状部１２１，１２２がリング１３の内部で確実に係合するため、ジャケット１２をポケット１５に装着することができる。最後に、吸盤１４をケース１１から取り外す。図４に、上記電子機器装着具のジャケット１２をポケット１５に装着した状態の断面図を示す。
【００１４】
以上のように、本実施形態に係る電子機器装着具は、装着時に、布を挟んで、リング１３を切り欠き部１３１，１３２を通じてジャケット１２の突状部１２１，１２２を内部に入れた後、リング１３を保持してジャケット１２を回転させて両者を係合させる（ジャケット１２を保持してリング１３を回転させてもよい）。これにより、移動体を覆う布に電子機器を簡単に装着することができ、かつ簡単には外れないようにすることができる。
【００１５】
尚、上記実施形態では、突状部を１列としたが、複数列でも実施可能である。また、突状部の個数、長さは上記の例に限定されるものではない。また、リング１３は、布の厚さに応じて交換可能なように、予め異なる径のものを用意しておくとよい。また、上記実施形態では、ケース１１とジャケット１２が別体としたが、一体構造であってもよい。尚、上記リング１３の内部に形成するストッパ１３３の形状は任意であり、布の摩擦で回転しない素材ならば省略してもよい。
【００１６】
以上のように、本考案のいくつかの実施形態を説明したが、これらの実施形態は、例として提示したものであり、考案の範囲を限定することは意図していない。これら新規な実施形態は、その他の様々な形態で実施されることが可能であり、考案の要旨を逸脱しない範囲で、種々の省略、置き換え、変更を行うことができる。これら実施形態やその変形は、考案の範囲や要旨に含まれるとともに、実用新案登録請求の範囲に記載された考案とその均等の範囲に含まれる。
【符号の説明】
【００１７】
１１…ケース、１２…ジャケット、１２１，１２２…突状部、１３…リング、１３１，１３２…切り欠き部、１３３…ストッパ、１４…吸盤、１５…ポケット。
【図１】
0003200048.tif 000003
【図２】
0003200048.tif 000004
【図３】
0003200048.tif 000005
【図４】
0003200048.tif 000006